(57)【要約】【課題】ケース内の空間の体積を目標値に高精度に合わせることができる蓄電装置の製造方法を提供する。【解決手段】開口３０ａが形成された絶縁ケース３０と、絶縁ケース３０内に収容された電解液２２とを備える蓄電装置１０の製造方法は、水平面Ｈに対して絶縁ケース３０を傾斜させた状態において、絶縁ケース３０内の電解液２２の液面２２ａが開口３０ａに到達している場合に、絶縁ケース３０の内面と液面２２ａとによって囲まれる空間２４の体積が予め定められた体積となるように、水平面Ｈに対する絶縁ケース３０の傾斜角度θを決定する工程と、水平面Ｈに対して傾斜角度θで絶縁ケース３０を傾斜させた状態において、電解液２２の液面２２ａが開口３０ａに到達するまで開口３０ａを通して絶縁ケース３０内に電解液２２を供給する工程と、を含む。【選択図】図３
2018060712.tif 000002
【特許請求の範囲】
【請求項１】
開口が形成されたケースと、前記ケース内に収容された電解液とを備える蓄電装置の製造方法であって、
水平面に対して前記ケースを傾斜させた状態において、前記ケース内の前記電解液の液面が前記開口に到達している場合に、前記ケースの内面と前記液面とによって囲まれる空間の体積が予め定められた体積となるように、前記水平面に対する前記ケースの傾斜角度を決定する工程と、
水平面に対して前記傾斜角度で前記ケースを傾斜させた状態において、前記電解液の前記液面が前記開口に到達するまで前記開口を通して前記ケース内に前記電解液を供給する工程と、
を含む、蓄電装置の製造方法。
【請求項２】
前記傾斜角度で前記ケースを傾斜させた状態において、前記電解液の前記液面が前記開口に到達した時に、前記電解液の供給を停止する工程を更に含む、請求項１に記載の蓄電装置の製造方法。
【請求項３】
前記ケースが角型ケースであり、
前記傾斜角度で前記ケースを傾斜させた状態において、前記ケースの上壁の内面と前記ケースの側壁の内面と前記液面を含む水平面とによって囲まれた三角柱形状の領域の体積をＶ、前記上壁の前記内面と前記側壁の前記内面との交線と前記開口の下端との間の距離をａ、水平方向に延びる前記交線の長さをｂ、前記傾斜角度をθとした場合に、Ｖ＝１／２×ａ２×ｂ×ｔａｎθである、請求項１又は２に記載の蓄電装置の製造方法。
【請求項４】
開口が形成されたケースと、前記ケース内に収容された電解液とを備える蓄電装置の製造方法であって、
前記開口を通して前記ケース内に前記電解液を充填する工程と、
予め定められた体積を有する前記電解液の一部を前記開口から除去する工程と、
を含む、蓄電装置の製造方法。
【請求項５】
水平面に対して前記ケースを傾斜させることによって前記電解液の一部を除去する、請求項４に記載の蓄電装置の製造方法。
【請求項６】
吸引により前記電解液の一部を除去する、請求項４又は５に記載の蓄電装置の製造方法。
【発明の詳細な説明】
【技術分野】
【０００１】
本発明の一側面は、蓄電装置の製造方法に関する。
【背景技術】
【０００２】
電池を傾斜させた状態で電池容器の注液口から電解液を注入することにより、電極内部に残った空気を効率よく電池外に逃がす方法が知られている（特許文献１参照）。
【先行技術文献】
【特許文献】
【０００３】
【特許文献１】特開２００３−２２５０２号公報
【発明の概要】
【発明が解決しようとする課題】
【０００４】
上記電池では電池容器内に電解液が充填される。一方、ケース内に電解液が収容された蓄電装置において、電解液の液面とケースの内面との間に空間（例えば空気又は窒素等の気体が占める領域）がケース内に存在する場合がある。この場合、蓄電装置の使用時に、ケース内の電極組立体から発生したガスにより当該空間の圧力が上昇する。当該空間の圧力が閾値を超えると、例えばケースに取り付けられた安全弁や電流遮断装置（ＣＩＤ：Ｃｕｒｒｅｎｔ  Ｉｎｔｅｒｒｕｐｔ  Ｄｅｖｉｃｅ）等の安全装置が作動する。したがって、ケース内の上記空間の圧力を制御するために、当該空間の体積を目標値に高精度に合わせることが求められる。
【０００５】
本発明の一側面は、ケース内の空間の体積を目標値に高精度に合わせることができる蓄電装置の製造方法を提供することを目的とする。
【課題を解決するための手段】
【０００６】
本発明の一側面に係る蓄電装置の製造方法は、開口が形成されたケースと、前記ケース内に収容された電解液とを備える蓄電装置の製造方法であって、水平面に対して前記ケースを傾斜させた状態において、前記ケース内の前記電解液の液面が前記開口に到達している場合に、前記ケースの内面と前記液面とによって囲まれる空間の体積が予め定められた体積となるように、前記水平面に対する前記ケースの傾斜角度を決定する工程と、水平面に対して前記傾斜角度で前記ケースを傾斜させた状態において、前記電解液の前記液面が前記開口に到達するまで前記開口を通して前記ケース内に前記電解液を供給する工程と、を含む。傾斜角度は、傾斜前において水平面に平行でありケースの下端を含む平面を基準平面として、傾斜後において当該基準平面と水平面とのなす角度のうち小さい方の角度であり得る。
【０００７】
この蓄電装置の製造方法によれば、水平面に対して所定の傾斜角度でケースを傾斜させた状態において、電解液の液面が開口に到達するまで開口を通してケース内に電解液を供給することによって、ケースの内面と液面とによって囲まれる空間が形成される。当該空間の体積は予め定められた体積と同じであるので、ケース内の空間の体積を目標値に高精度に合わせることができる。
【０００８】
上記製造方法は、前記傾斜角度で前記ケースを傾斜させた状態において、前記電解液の前記液面が前記開口に到達した時に、前記電解液の供給を停止する工程を更に含んでもよい。
【０００９】
これにより、電解液が開口から溢れ出すことを抑制できる。そのため、電解液の使用量を低減できる。
【００１０】
前記ケースが角型ケースであり、前記傾斜角度で前記ケースを傾斜させた状態において、前記ケースの上壁の内面と前記ケースの側壁の内面と前記液面を含む水平面とによって囲まれた三角柱形状の領域の体積をＶ、前記上壁の前記内面と前記側壁の前記内面との交線と前記開口の下端との間の距離をａ、水平方向に延びる前記交線の長さをｂ、前記傾斜角度をθとした場合に、Ｖ＝１／２×ａ２×ｂ×ｔａｎθであってもよい。
【００１１】
本発明の他の一側面に係る蓄電装置の製造方法は、開口が形成されたケースと、前記ケース内に収容された電解液とを備える蓄電装置の製造方法であって、前記開口を通して前記ケース内に前記電解液を充填する工程と、予め定められた体積を有する前記電解液の一部を前記開口から除去する工程とを含む。
【００１２】
この蓄電装置の製造方法によれば、予め定められた体積を有する電解液の一部を開口から除去することによって、ケースの内面と液面とによって囲まれる空間が形成される。当該空間の体積は予め定められた体積と同じであるので、ケース内の空間の体積を目標値に高精度に合わせることができる。
【００１３】
水平面に対して前記ケースを傾斜させることによって前記電解液の一部を除去してもよい。あるいは、吸引により前記電解液の一部を除去してもよい。
【発明の効果】
【００１４】
本発明の一側面によれば、ケース内の空間の体積を目標値に高精度に合わせることができる蓄電装置の製造方法が提供され得る。
【図面の簡単な説明】
【００１５】
【図１】実施形態に係る蓄電装置を模式的に示す断面図である。
【図２】図１のＩＩ−ＩＩ線に沿った蓄電装置の断面図である。
【図３】実施形態に係る蓄電装置の製造方法の一工程を示す断面図である。
【図４】別の実施形態に係る蓄電装置の製造方法の一工程を示す断面図である。
【図５】別の実施形態に係る蓄電装置の製造方法の一工程を示す断面図である。
【発明を実施するための形態】
【００１６】
以下、添付図面を参照しながら本発明の実施形態が詳細に説明される。図面の説明において、同一又は同等の要素には同一符号が用いられ、重複する説明は省略される。
【００１７】
図１は、実施形態に係る蓄電装置を模式的に示す断面図である。図２は、図１のＩＩ−ＩＩ線に沿った蓄電装置の断面図である。図１及び図２にはＸＹＺ直交座標系が示される。図１に示される蓄電装置１０は、例えばニッケル水素二次電池、リチウムイオン二次電池等の二次電池であってもよいし、電気二重層キャパシタであってもよい。蓄電装置１０は、例えばフォークリフト、ハイブリッド自動車、電気自動車等の車両に搭載され得る。
【００１８】
蓄電装置１０は、複数の開口３０ａが形成された絶縁ケース３０と、絶縁ケース３０内に収容された電解液２２とを備える。絶縁ケース３０は電極組立体１３を収容し得る。
【００１９】
電極組立体１３は、複数のバイポーラ電極１２を備える。複数のバイポーラ電極１２は、セパレータ１４を介して直列に積層され得る。複数のバイポーラ電極１２のそれぞれは、第１の面１６ａ及び第１の面１６ａとは反対側の第２の面１６ｂを有する集電体１６と、第１の面１６ａに設けられた正極層１８と、第２の面１６ｂに設けられた負極層２０とを有している。正極層１８及び負極層２０は、複数のバイポーラ電極１２の積層方向（以下、Ｙ軸方向ともいう）に交差する平面（例えばＸＺ平面）に沿って延在している。
【００２０】
セパレータ１４はシート状であってもよいし、袋状であってもよい。セパレータ１４は例えば多孔膜又は不織布である。セパレータ１４は電解液２２を透過させ得る。セパレータ１４の材料としては、例えばポリエチレン、ポリプロピレン等のポリオレフィン、ポリイミド、アラミド繊維などポリアミド系等が挙げられる。また、フッ化ビニリデン樹脂化合物で補強されたセパレータ１４が使用されてもよい。電解液２２としては、例えば水酸化カリウム水溶液等のアルカリ溶液が使用され得る。
【００２１】
集電体１６は、例えばニッケル箔等の金属箔であってもよいし、例えば導電性樹脂フィルム等の導電性樹脂部材であってもよい。集電体１６の厚みは、例えば０．１〜１０００μｍである。正極層１８は、正極活物質を含む。蓄電装置１０がニッケル水素二次電池の場合、正極活物質は、例えば水酸化ニッケル（Ｎｉ（ＯＨ）２）の粒子である。蓄電装置１０がリチウムイオン二次電池の場合、正極活物質は、例えば複合酸化物、金属リチウム、硫黄等である。負極層２０は、負極活物質を含む。蓄電装置１０がニッケル水素二次電池の場合、負極活物質は、例えば水素吸蔵合金の粒子である。蓄電装置１０がリチウムイオン二次電池の場合、負極活物質は、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等である。
【００２２】
Ｙ軸方向において、複数のバイポーラ電極１２及び複数のセパレータ１４は、電極１１２及び電極２１２によって挟まれてもよい。電極１１２及び電極２１２は電極組立体１３の一部である。電極１１２及び電極２１２は、Ｙ軸方向において最も外側に位置する電極である。電極１１２は、集電体１１６と、集電体１１６のセパレータ１４側の面に設けられた正極層１８とを備える。電極２１２は、集電体１１６と、集電体１１６のセパレータ１４側の面に設けられた負極層２０とを備える。集電体１１６は、Ｙ軸方向において集電体１６よりも厚いこと以外は集電体１６と同じ構成を備える。
【００２３】
絶縁ケース３０は、筒状部材であってもよい。絶縁ケース３０は、例えば角型ケース（直方体形状を有するケース）である。絶縁ケース３０は、例えばポリパラフェニレンベンゾビスオキサゾール（ザイロン（登録商標））等の樹脂製のケースである。
【００２４】
絶縁ケース３０の各開口３０ａは、隣り合うバイポーラ電極１２同士の間に形成される各蓄電セルに対応して形成される。各開口３０ａの一端は、各セパレータ１４の端面に対向配置される。各開口３０ａの他端は絶縁ケース３０の外側に設けられた凹部３０ｂに連通している。電解液２２の液面２２ａと絶縁ケース３０の内面との間には、複数の開口３０ａに対応してそれぞれ複数の空間２４が設けられている。蓄電装置１０の使用時に、絶縁ケース３０内の電極組立体１３から発生したガスにより各空間２４の圧力が上昇する。各空間２４の圧力が閾値を超えると、例えば絶縁ケース３０に設けられた安全弁や電流遮断装置等の安全装置が作動する。
【００２５】
図２に示されるように、絶縁ケース３０は、上壁３２と、上壁３２に対向配置された底壁３４と、上壁３２と底壁３４との間に配置された側壁３６及び３８とを備え得る。側壁３６及び３８は互いに対向配置される。開口３０ａは上壁３２に形成され得る。この場合、開口３０ａは液面２２ａに対向配置される。図１及び図２では、底壁３４が水平面（ＸＹ平面）に沿って延在している。そのため、各空間２４は、上壁３２の内面３２ａと、側壁３６の内面３６ａと、側壁３８の内面３８ａと、電解液２２の液面２２ａとによって囲まれる。各空間２４は、１つの集電体１６の第１の面１６ａと、第１の面１６ａに対向配置された別の集電体１６の第２の面１６ｂとによっても囲まれている。隣り合うバイポーラ電極１２同士の間に形成される各蓄電セルにおいて、電解液２２を収容するケースの内面は、上壁３２の内面３２ａと、側壁３６の内面３６ａと、側壁３８の内面３８ａと、１つの集電体１６の第１の面１６ａと、第１の面１６ａに対向配置された別の集電体１６の第２の面１６ｂとによって構成されるとも言える。
【００２６】
蓄電装置１０は、正極プレート４０及び負極プレート５０を備えてもよい。正極プレート４０及び負極プレート５０は、Ｙ軸方向において、複数のバイポーラ電極１２及び複数のセパレータ１４を挟持する。正極プレート４０及び負極プレート５０は、電極１１２、電極２１２及び絶縁ケース３０を挟持してもよい。電極１１２は正極プレート４０とセパレータ１４との間に配置される。電極２１２は負極プレート５０とセパレータ１４との間に配置される。正極プレート４０には正極端子４２が接続される。負極プレート５０には負極端子５２が接続される。正極端子４２及び負極端子５２により蓄電装置１０の充放電を行うことができる。
【００２７】
正極プレート４０及び負極プレート５０には、Ｙ軸方向に延びるボルトＢを貫通するための貫通孔が設けられる。貫通孔は、Ｙ軸方向から見て絶縁ケース３０の外側に配置される。ボルトＢは正極プレート４０から負極プレート５０に向かって挿通され得る。ボルトＢの先端にはナットＮが螺合される。これにより、正極プレート４０及び負極プレート５０は、複数のバイポーラ電極１２、複数のセパレータ１４、電極１１２、電極２１２及び絶縁ケース３０を拘束できる。
【００２８】
次に、図３を用いて、蓄電装置１０の製造方法の一例について説明する。図３は、実施形態に係る蓄電装置の製造方法の一工程を示す断面図である。図１及び図２に示される蓄電装置１０は例えば以下のようにして製造される。
【００２９】
（傾斜角度の決定工程）
まず、図３（Ｂ）に示されるように、水平面Ｈ（ＸＹ平面）に対して絶縁ケース３０を傾斜させた状態において、絶縁ケース３０内の電解液２２の液面２２ａが開口３０ａに到達している場合に、絶縁ケース３０の内面（上壁３２の内面３２ａ及び側壁３６の内面３６ａ）と液面２２ａとによって囲まれる空間２４の体積が予め定められた体積となるように、水平面Ｈに対する絶縁ケース３０の傾斜角度θを決定する。空間２４の体積の算出例については後述する。傾斜角度θは、水平面Ｈと底壁３４の下面３４ｂ（絶縁ケース３０の底面）とのなす角度のうち小さい方の角度である。
【００３０】
（電解液の供給工程）
次に、図３（Ａ）及び（Ｂ）に示されるように、水平面Ｈに対して傾斜角度θで絶縁ケース３０を傾斜させた状態において、電解液２２の液面２２ａが開口３０ａに到達するまで開口３０ａを通して絶縁ケース３０内に電解液２２を供給する。
【００３１】
例えば、まず図３（Ａ）に示されるように、電解液２２を供給する前に絶縁ケース３０を水平面Ｈに対して傾斜角度θで傾斜させる。例えばモータの回転軸（Ｙ軸方向に延びる回転軸）に絶縁ケース３０を取り付け、水平面Ｈから傾斜角度θだけ絶縁ケース３０を回転させて、絶縁ケース３０を傾斜させることができる。あるいは、水平面Ｈに対して傾斜角度θだけ傾斜した載置面上に絶縁ケース３０を載置してもよい。
【００３２】
次に、図３（Ｂ）に示されるように、電解液２２の液面２２ａが開口３０ａに到達するまで開口３０ａを通して絶縁ケース３０内に電解液２２を供給する。例えば電解液２２が収容されたリザーブタンク６０を用いて凹部３０ｂ及び開口３０ａを通して絶縁ケース３０内に電解液２２を供給してもよい。この場合、絶縁ケース３０に別の開口を形成して当該別の開口から真空引きを行ってもよい。別の開口は例えば電流遮断装置等により塞がれてもよい。あるいは、例えば注液針等を有するディスペンサを用いて、絶縁ケース３０内に電解液２２を注入してもよい。
【００３３】
水平面Ｈに対して傾斜角度θで絶縁ケース３０を傾斜させた状態において、電解液２２の液面２２ａの重力方向（Ｚ軸方向）における位置は、開口３０ａの重力方向における下端に揃っている。
【００３４】
（電解液の供給停止工程）
次に、図３（Ｂ）に示されるように、水平面Ｈに対して傾斜角度θで絶縁ケース３０を傾斜させた状態において、電解液２２の液面２２ａが開口３０ａに到達した時に、電解液２２の供給を停止してもよい。これにより、電解液２２が開口３０ａから溢れ出すことを抑制できる。そのため、電解液２２の使用量を低減できる。あるいは、電解液２２の液面２２ａが開口３０ａに到達した後も電解液２２の供給を継続してもよい。この場合、電解液２２が開口３０ａを通して絶縁ケース３０の外に溢れ出ることになるが、電解液２２の液面２２ａの重力方向における位置は開口３０ａの重力方向における下端に揃ったままである。
【００３５】
絶縁ケース３０が角型ケースである場合、水平面Ｈに対して傾斜角度θで絶縁ケース３０を傾斜させた状態において、絶縁ケース３０の上壁３２の内面３２ａと絶縁ケース３０の側壁３６の内面３６ａと液面２２ａを含む水平面Ｈ１とによって囲まれた三角柱形状の領域Ｒの体積をＶ、上壁３２の内面３２ａと側壁３６の内面３６ａとの交線Ｃと開口３０ａの下端との間の距離をａ、水平方向に延びる交線Ｃの長さをｂ、傾斜角度をθとした場合に、Ｖ＝１／２×ａ２×ｂ×ｔａｎθであってもよい。領域Ｒは、１つの集電体１６の第１の面１６ａと、第１の面１６ａに対向配置された別の集電体１６の第２の面１６ｂとによっても囲まれている。上壁３２の内面３２ａと側壁３６の内面３６ａとは、絶縁ケース３０の内面のうち最も上（頂点）に位置する交線Ｃにおいて直角を形成している。例えばセパレータ１４の厚みをＤ１、正極層１８の厚みをＤ２、負極層２０の厚みをＤ３とした場合、ｂ＝Ｄ１＋Ｄ２＋Ｄ３である。
【００３６】
電解液２２の液面２２ａ上に電極組立体１３の一部（例えばセパレータ１４、正極層１８及び負極層２０等）が露出してもよい。露出した電極組立体１３の一部の体積をＶｅ、空間２４の体積をＶｖ、上述の領域Ｒの体積をＶとすると、Ｖｖ＝Ｖ−Ｖｅとなる。露出した電極組立体１３の一部の体積Ｖｅは、例えばセパレータ１４、正極層１８及び負極層２０の質量及び密度から算出され得る。さらに、毛細管現象により、電極組立体１３の一部（特に多孔性のセパレータ１４）に電解液２２が移動する場合がある。この場合、移動した電解液２２の体積をＶｍとすると、Ｖｖ＝Ｖ−Ｖｅ−Ｖｍとなる。移動した電解液２２の体積Ｖｍは、例えば電解液２２及びセパレータ１４の材料とセパレータ１４の気孔率とから算出され得る。電解液２２の液面２２ａ上に電極組立体１３の一部が露出していない場合には、空間２４の体積Ｖｖは上述の領域Ｒの体積Ｖと同じになる。
【００３７】
次に、絶縁ケース３０の底壁３４の下面３４ｂが水平面Ｈに揃うように絶縁ケース３０を水平位置に戻すと、図１及び図２に示される蓄電装置１０が得られる。開口３０ａが塞がれると、空間２４は密閉された空間となる。
【００３８】
本実施形態の蓄電装置１０の製造方法によれば、水平面Ｈに対して傾斜角度θで絶縁ケース３０を傾斜させた状態において、電解液２２の液面２２ａが開口３０ａに到達するまで開口３０ａを通して絶縁ケース３０内に電解液２２を供給することによって、絶縁ケース３０の内面（上壁３２の内面３２ａ及び側壁３６の内面３６ａ）と液面２２ａとによって囲まれる空間２４が形成される。空間２４の体積Ｖｖは予め定められた体積と同じであるので、絶縁ケース３０内の空間２４の体積Ｖｖを目標値に高精度に合わせることができる。したがって、蓄電装置１０の設計自由度が向上する。
【００３９】
次に、図４を用いて、蓄電装置１０の製造方法の他の例について説明する。図４は、別の実施形態に係る蓄電装置の製造方法の一工程を示す断面図である。図１及び図２に示される蓄電装置１０は例えば以下のようにして製造される。
【００４０】
（電解液の充填工程）
まず、図４（Ａ）に示されるように、開口３０ａを通して絶縁ケース３０内に電解液２２を充填する。
【００４１】
（電解液の一部除去工程）
次に、図４（Ｂ）に示されるように、予め定められた体積を有する電解液２２の一部を開口３０ａから除去する。本実施形態では、水平面Ｈに対して絶縁ケース３０を傾斜させることによって電解液２２の一部を除去する。水平面Ｈに対して傾斜角度θで絶縁ケース３０を傾斜させると、除去する電解液２２の体積を測定することなく、予め定められた体積を有する電解液２２の一部を除去できる。あるいは、除去する電解液２２の体積を測定することによって、予め定められた体積を有する電解液２２の一部を除去してもよい。
【００４２】
本実施形態の蓄電装置１０の製造方法によれば、予め定められた体積を有する電解液２２の一部を開口３０ａから除去することによって、絶縁ケース３０の内面（上壁３２の内面３２ａ及び側壁３６の内面３６ａ）と液面２２ａとによって囲まれる空間２４が形成される。空間２４の体積は予め定められた体積（除去された電解液２２の体積）と同じであるので、絶縁ケース３０内の空間２４の体積を目標値に高精度に合わせることができる。したがって、蓄電装置１０の設計自由度が向上する。
【００４３】
次に、図５を用いて、蓄電装置１０の製造方法の他の例について説明する。図５は、別の実施形態に係る蓄電装置の製造方法の一工程を示す断面図である。図１及び図２に示される蓄電装置１０は例えば以下のようにして製造される。
【００４４】
（電解液の充填工程）
まず、図５（Ａ）に示されるように、開口３０ａを通して絶縁ケース３０内に電解液２２を充填する。
【００４５】
（電解液の一部除去工程）
次に、図５（Ｂ）に示されるように、予め定められた体積を有する電解液２２の一部を開口３０ａから除去する。本実施形態では、吸引により電解液２２の一部を除去する。例えば吸引ノズルを用いて電解液２２を吸引してもよい。
【００４６】
図５に示される蓄電装置１０の製造方法においても、図４に示される蓄電装置１０の製造方法と同様の作用効果が得られる。
【００４７】
以上、本発明の好適な実施形態について詳細に説明されたが、本発明は上記実施形態に限定されない。
【００４８】
例えば、蓄電装置１０は双極型の蓄電装置であってもよい。すなわち、電極組立体１３は、複数のバイポーラ電極１２に代えて、正極と、負極と、正極及び負極の間に配置されたセパレータとを備えてもよい。この場合、絶縁ケース３０に代えて金属ケース等が使用され得る。蓄電装置のケースの内面とケース内に収容された電解液の液面とによって囲まれる空間が１つの場合には、ケースに単一の開口が形成される。
【００４９】
また、絶縁ケース３０は角型ケースに限られず、例えば丸型ケース等であってもよい。この場合、絶縁ケース３０は、円筒状の側壁を有する。開口３０ａは例えば円筒状の側壁に形成される。この場合、水平面Ｈに対する絶縁ケース３０の傾斜角度θは、傾斜前において絶縁ケース３０の下端（例えば円筒状の側壁の下端）を含む水平面（基準平面）と、傾斜後において当該基準平面と水平面Ｈとのなす角度のうち小さい方の角度である。
【符号の説明】
【００５０】
１０…蓄電装置、２２…電解液、２２ａ…液面、２４…空間、３０…絶縁ケース（ケース）、３０ａ…開口、３２…上壁、３２ａ…上壁の内面、３６…側壁、３６ａ…側壁の内面、Ｃ…交線、Ｈ…水平面、Ｈ１…液面を含む水平面、Ｒ…領域。
【図１】
2018060712.tif 000003
【図２】
2018060712.tif 000004
【図３】
2018060712.tif 000005
【図４】
2018060712.tif 000006
【図５】
2018060712.tif 000007